(57)【要約】【課題】  本発明は通信ネットワークを介して調理情報などを家庭内の加熱調理器に供給するため、安価な構成で実用に優れたネットワーク調理システムおよび加熱調理器を供給すること。【解決手段】  情報管理装置１と、通信ネットワーク２と、ホームネットワーク端末３と、ネットワーク通信手段７と、端末側表示手段８と、端末側無線通信手段９と、報知手段１５と、途中通知表示手段１６と、調理終了判別手段１７と、無線通信４と、加熱調理器５と、機器側無線通信手段１０と、機器側表示手段１１と途中通知手段１４と、調理残時間通知手段１８を備え、情報管理装置から通信ネットワークを介して供給される調理情報および加熱調理器からの各種途中通知内容や調理終了情報をホームネットワーク端末上で報知、閲覧できるため、加熱調理器側には調理をおこなうための最低限の表示機能を有する構成とする。【選択図】  図１
2005037067.tif 000002
【特許請求の範囲】
【請求項１】
通信ネットワークを介して情報を送受信する情報管理装置と、家庭内でデータを送受信するホームネットワーク端末と、無線通信にて前記ホームネットワーク端末から情報を送受信する加熱調理器とを備えて、前記ホームネットワーク端末は、前記情報管理装置と前記通信ネットワークを介して通信するためのネットワーク通信手段と、調理の情報などを表示する端末側表示手段と、前記加熱調理器と情報を送受信する端末側無線通信手段と、加熱調理における進捗情報や調理の情報受信時等の報知を行う報知手段とを有し、前記加熱調理器は、前記ホームネットワーク端末と無線通信にて情報を送受信するための機器側無線通信手段と、無線通信で供給された調理情報を表示する機器側表示手段とを備えたネットワーク調理システム。
【請求項２】
加熱調理器にて調理をおこなう際、調理途中で通知内容がある場合、機器側無線通信手段にて端末側無線通信手段へ情報を送信する途中通知手段を有し、ホームネットワーク端末は、前記途中通知手段からの情報を受信すると、報知手段にて報知するとともに、端末側表示手段に表示する途中通知内容を判別する途中通知表示手段を有して、途中通知内容を表示する機能を備えた請求項１記載のネットワーク調理システム。
【請求項３】
ホームネットワーク端末は、途中通知表示手段で判別した途中通知内容を端末側表示手段に表示した後に、加熱調理器から調理スタートの情報を端末側無線通信手段が受信した際、途中通知内容の表示を解除する機能を有することを特徴としてなる請求項２記載のネットワーク調理システムおよびそれを用いた調理加熱装置。
【請求項４】
ホームネットワーク端末にて、加熱調理器の調理終了を判断する手段として、前記加熱調理器は調理開始時あるいは、調理途中に調理残時間を通知する調理残時間通知手段を有し、前記ホームネットワーク端末は調理終了時間を判別するための調理終了判別手段を備えてなる請求項２または請求項３記載のネットワーク調理システム。
【請求項５】
請求項１から４のいずれか１項に記載のネットワーク調理システムを用いた調理加熱装置。
【発明の詳細な説明】
【技術分野】
【０００１】
本発明は、通信ネットワークを介して調理情報などを家庭内の加熱調理器に供給するネットワーク調理システムおよびそれを用いた調理加熱装置に関するものである。
【背景技術】
【０００２】
従来、この種のネットワーク調理システムおよびそれを用いた調理加熱装置は、通信ネットワークを介して電子レンジ用の調理情報や調理レシピを家庭内の電子レンジに供給するシステムが提案されている（例えば特許文献１および特許文献２参照）。
【０００３】
これらのシステムはパーソナルコンピュータまたはＰＤＡ(personal digital assistant)を介して電子レンジにデータを供給することを前提にしている。
【０００４】
また、パーソナルコンピュータやＰＤＡを経由せず、インターフェース部のみを経由して、調理情報を取得しているものもある（例えば特許文献３参照）。
【０００５】
さらに、直接通信ネットワークを介して調理情報を受信する機能を備えた電子レンジも提案されている（例えば、特許文献４または特許文献５参照）。
【特許文献１】特開２０００−３４６３６６号公報
【特許文献２】特開２０００−３４６３６７号公報
【特許文献３】特開２００３−１３２２０５号公報
【特許文献４】特開２００１−７４２４７号公報
【特許文献５】特開２００３−１２０９３７号公報
【発明の開示】
【発明が解決しようとする課題】
【０００６】
しかしながら、前記従来の構成では、いずれの場合も、電子レンジの表示部にて、取得した調理情報や調理レシピを閲覧することを前提としているため、限られた表示面積の中に調理レシピ等をすべて表示するためには、表示部としてドットタイプやカラー対応タイプなど、高価な表示部を搭載する必要がある。もちろん限られた表示面積内で情報を表示することも可能だが、使用者は混乱をしてしまう可能性があり、必要な時に必要な情報を見ることができるものが最善と思われる。
【０００７】
また、ＩＨクッキングヒータや炊飯器等他の調理器とのネットワーク調理システムを考慮すれば、表示部は従来同様タイプを使用するほうが、システムとしては、安価になる。
【０００８】
また、調理レシピ等を表示させるには、１メニューあたり１００Ｋバイトから５００Ｋバイト、場合によっては、１Ｍバイトの容量が必要になり、従来使用のマイクロコンピュータの持つ１Ｋバイト、２Ｋバイトの容量とは格段に差があり、取得したデータを格納するメモリは、容量の大きなものを搭載する必要があり、最低限、通信ネットワークとの通信機能も必要なため、システムとしては、さらに高価なものになってしまうという課題を有していた。
【０００９】
また、調理の出来上がりを良くするために、調理の途中で調理物をかき混ぜる操作や焼き魚のように上下を裏返す操作が必要な場合などの途中通知情報は、通常加熱調理側で報知しているが、他の部屋にいて、報知を聞き逃した場合は、操作を忘れる場合もある。そのため表示部を用いて表示をする場合もあるが、簡易的な表示では分かり難く、ドットタイプなどの表示面積の広い表示部を使用するのが望ましいが、高価なものになってしまうという課題がある。
【００１０】
また、調理の終了などの進捗状況も、同様に加熱調理器側でしか報知されず、加熱調理器の傍にいなければ聞き逃してしまい、調理の取り出し忘れなどの可能性を秘めていた。さらに、無線通信の場合、離れた場所から操作することも想定され、無線状態によっては調理終了などの情報を受信できない場合も想定される。そのため、端末側にも調理終了を判別する機能が必要である。
【００１１】
本発明は、前記従来の課題を解決するもので、安価な構成で、容易に通信ネットワークを介して調理情報を利用でき、加熱調理器側だけでなく、ホームネットワーク端末側で、通知する機能および解除する機能を搭載することにより、操作性の向上を兼ね備えたネットワーク調理器システムおよびそれを用いた調理加熱装置を提供することを目的とする。
【課題を解決するための手段】
【００１２】
前記従来の課題を解決するために、本発明のネットワーク調理システムは、通信ネットワークを介して情報を送受信する情報管理装置と、家庭内で、データを送受信するホームネットワーク端末と、無線通信にてホームネットワーク端末から情報を送受信する加熱調理器を備えている。
【００１３】
ホームネットワーク端末は情報管理装置と通信ネットワークを介して通信するためのネットワーク通信手段と、調理の情報などを表示する端末側表示手段と、加熱調理器と情報を送受信する端末側無線通信手段と、加熱調理における進捗情報や調理の情報受信時等の報知を行う報知手段を有している。
【００１４】
加熱調理器は、ホームネットワーク端末と無線通信にて情報を送受信するための機器側無線通信手段と、無線通信で供給された調理情報などを表示する機器側表示手段を備えている。
【００１５】
これによって、情報管理装置から通信ネットワークを介して供給される調理情報をホームネットワーク端末上で閲覧でき、必要に応じて無線通信で加熱調理器に調理情報を転送できるため、加熱調理器側には調理をおこなうための最低限の表示機能を有するだけでよい。また、転送するデータは１００バイトもあれば十分なため、従来の構成のまま使用することが可能になる。さらに、ホームネットワーク端末側でも加熱調理の進捗状況や途中通知内容を確認することができるため、調理終了後の取り出し忘れや途中で行う操作忘れの防止にもなる。
【発明の効果】
【００１６】
本発明のネットワーク調理システムおよびそれを用いた調理加熱装置は、調理レシピを閲覧しながら調理することが可能になり、操作性の向上を図ることができる。
【００１７】
また、ホームネットワーク端末側で加熱調理の進捗状況や途中通知内容を報知できるため、操作性の向上を図ることができる。
【発明を実施するための最良の形態】
【００１８】
第１の発明は、通信ネットワークを介して情報を送受信する情報管理装置と、家庭内でデータを送受信するホームネットワーク端末と、無線通信にてホームネットワーク端末から情報を送受信する加熱調理器とを備え、ホームネットワーク端末は、情報管理装置と通信ネットワークを介して通信するためのネットワーク通信手段と、調理の情報などを表示する端末側表示手段と、加熱調理器と情報を送受信する端末側無線通信手段と、加熱調理における進捗情報や調理の情報受信時等の報知を行う報知手段とを有している。
【００１９】
加熱調理器は、ホームネットワーク端末と無線通信にて情報を送受信するための機器側無線通信手段と、無線通信で供給された調理データを表示する機器側表示手段とを備えることにより、加熱調理器から無線通信を介して供給される加熱調理における進捗状況をホームネットワーク端末上でも報知、確認できる。
【００２０】
これにより、オーブン調理の予熱完了や調理終了をホームネットワーク端末側で確認でき、電子レンジの傍にいなくても確認することが可能になり、操作性の向上を図ることができる。
【００２１】
第２の発明は、特に、第１の発明の加熱調理器にて調理をおこなう際、調理途中で通知内容がある場合、機器側無線通信手段にて端末側無線通信手段へ情報を送信する途中通知手段を有し、ホームネットワーク端末は、途中通知手段からの情報を受信すると、報知手段にて報知するとともに、端末側表示手段に表示する途中通知内容を判別する途中通知表示手段を有して、途中通知内容を表示することができる。
【００２２】
加熱調理器の途中通知内容をホームネットワーク端末でも確認することができ、加熱調理器の傍にいなくても、途中操作忘れを防止できる。
【００２３】
第３の発明は、特に、第１または第２の発明のホームネットワーク端末は、途中通知表示手段で判別した途中通知内容を端末側表示手段に表示した後に、加熱調理器側で、途中操作を行い、再度調理スタートした時、その情報を端末側無線通信手段が受信した際、途中通知内容の表示を解除するができる。
【００２４】
第４の発明は、特に、第１から第３の発明のホームネットワーク端末にて、加熱調理器の調理終了を判断する手段として、加熱調理器は調理開始時あるいは、調理途中に調理残時間を通知する調理残時間通知手段を有し、ホームネットワーク端末は調理終了時間を判別するための調理終了判別手段を備えているため、無線状況等により、調理終了の通知が受け取れなかった場合にも、調理終了を判断して、報知することができる。
【００２５】
第５の発明は、特に、第１から第４の発明のネットワーク調理システムを用いた調理加熱装置を提供することにより、各種の加熱調理器を複数用意することで、調理レシピの幅を広げ、それぞれの調理器の状況および通知内容を判断することができる。
【００２６】
以下本発明の実施の形態について、図面を参照しながら説明する。なお、この実施の形態によって本発明が限定されるものではない。
【００２７】
（実施の形態１）
図１は、本発明の第１の実施の形態におけるネットワーク調理システムの詳細ブロック図を示すものである。
【００２８】
図２に、ネットワーク調理システムの概略構成図を示す。
【００２９】
図１において、ネットワーク調理システムは、一般にサーバと呼ばれ、複数の調理レシピなどのデータを格納している情報管理装置１と、通信ネットワーク２によって接続される家庭内に設置されたホームネットワーク端末３と、ホームネットワーク端末３と無線通信４によって接続される加熱調理器５で構成されている。
【００３０】
以上のように構成されたネットワーク調理システムについて、図１および図２を用いて以下にその動作、作用を説明する。
【００３１】
まず、ホームネットワーク端末３の端末側表示部６はタッチパネルで構成され、利用者は、調理の種類、素材などから調理レシピを選択すると、ホームネットワーク端末３内のネットワーク通信手段７により、通信ネットワーク２を介して情報管理装置１から調理レシピをダウンロードし、端末側表示手段７により、端末側表示部６に表示される。
【００３２】
利用者は、端末側表示部６に表示される調理のできあがり写真や、所要時間などの概要、材料等を見ることで、その調理が気に入らなければ、再度選びなおせばよい。気に入れば、続けて、作り方を見ることができる。調理のレシピは通常、下ごしらえから焼き上げなど、複数の調理で構成されており、順に作り方を閲覧しながら、調理を完成させる。
【００３３】
そのため、加熱調理器５は、電子レンジや、IHクッキングヒーター、メニューによっては炊飯器など、複数の調理器が考えられ、一つの調理器に調理レシピ全てを送信しても使わない調理もあり、不要なデータになってしまう。
【００３４】
利用者は、端末側表示部６に表示される調理レシピを順に確認しながら準備していき、調理の転送可能画面になると、必要に応じて加熱調理器５への転送ボタンを押すことにより、端末側無線通信手段９から、加熱調理器５内の機器側無線通信手段１０へ無線通信４により調理情報が転送され、機器側表示手段１１により、機器側表示部１２に表示され、加熱調理器は動作可能な状態になり、機器側操作部１３内の調理スタートキーを押すことで、調理を開始することができる。
【００３５】
この時に、機器側表示部１２は、調理の加熱情報が設定された状態を表示できれば十分なため、従来同様の簡単な表示部で構成できるため、特別に調理レシピを見るためのドットタイプやカラータイプの表示部を用いなくてもよく、安価な構成で作成できる。
【００３６】
次に、加熱調理器５に送信された情報内に、途中通知内容があれば、加熱調理器５内の途中通知手段１４が、途中通知のタイミングを判断し、途中通知のタイミングになれば、機器側無線通信手段１０から端末側無線通信手段９に情報が転送され、報知手段１５により報知されると同時に途中通知表示手段１６により、端末側表示部６に表示される。
【００３７】
無線通信状態等により、受信できなかった場合を考慮し、ホームネットワーク端末３は、途中通知表示手段１６内で、途中通知のタイミングを判断し、時間経過すると自動的に途中通知の時間がくれば、通知することもできる。
【００３８】
なお、報知手段としては、ブザー音やメロディー音、スピーカを用いた音楽などが考えられる。
【００３９】
また、加熱調理器５の調理終了の情報も途中通知と同様に転送しているが、無線通信状態等により、受信できなかった場合を考慮し、調理開始時に調理の残時間を調理終了判別手段１７で計測することができるが、自動メニューなどセンサーが検知しないと、残時間がわからないものもあるため、加熱調理器５内の調理残時間通知手段１８により、残時間がわかった時点で、機器側無線通信手段１０から端末側無線通信手段９に情報が転送され、調理終了判別手段１７により、計測しなおすことになる。
【００４０】
さらに、途中通知内容や調理終了通知については、再度、調理をスタートすれば、不要になるため、途中通知表示手段１６または調理終了判別手段１７により、自動的に解除する構成にしている。
【００４１】
以上のように本実施の形態においては、加熱調理器５から途中通知手段１４または調理残時間通知手段１８を用いて、途中通知内容や調理終了をホームネットワーク端末３側にも通知し、報知することができ、加熱調理器から離れていても、報知内容を確認することができ、操作性の向上につながる。さらに、調理が再度スタートされれば、通知内容を自動的に解除する構成にしており、煩わしさもなくなる。
【００４２】
なお、ホームネットワーク端末３は持ち運び可能な構成であれば、いつでも情報を受信して、加熱調理器まで駆けつけることが可能になる。
【００４３】
また、本実施の形態では、各種通知内容をホームネットワーク端末３上で確認できるため、加熱調理器５には、報知手段がなくてもよく、各種の加熱調理器に搭載することが可能になる。
【００４４】
（実施の形態２）
図３は、本発明の第２の実施の形態におけるネットワーク調理システムのホームネットワーク端末３内の端末側表示部６に表示される画面遷移図を示すものである。
【００４５】
図３において、ホームネットワーク端末３の端末側表示部６はタッチパネル構成になっており、新しいレシピを選択すると、図Ｆ１の表示になる。ここで、例えば「素材から探す」にタッチすると、図Ｆ２の画面に遷移する。さらに、「葉菜」「キャベツ」と選んでいくと、図Ｆ３、図Ｆ４と遷移する。ここで、メニューを選ぶことができ、「キャベツのしらすあえ」をタッチすると、図Ｆ５に遷移し、調理の出来上がり画像が表示される。
【００４６】
ここで、さらに「概要」を押すことにより図Ｆ６に遷移し、所要時間やカロリーなどを表示し、分量も変更できるようになっている。続いて「材料」にタッチすれば、図Ｆ７の材料画面に遷移し、「調理・閲覧」にタッチすると、図Ｆ８に遷移し作り方を見ることができる。調理レシピを閲覧していくと、図Ｆ９のようにレシピが表示され、続けてみることができる。次に調理がある場合は、図Ｆ１０の画面になり、「レンジにデータを転送」をタッチすると、加熱調理器である電子レンジにデータが転送される。
【００４７】
さらに、図Ｆ１１に遷移して、レシピ閲覧中に加熱調理器側から途中通知内容が転送されると、図Ｆ１２の画面が表示され、何をすればよいか確認できる。なお、通知内容としては、「かき混ぜてください」だけでなく、「途中で裏返す」や「予熱が完了しました」など、様々な種類があるのは言うまでもない。「調理が終了しました」も同様で、表示内容の「確認」をタップすると、図Ｆ１１の画面に戻る。
【００４８】
なお、調理がスタートされれば、「確認」をタップすることなく、自動的に図Ｆ１１の画面に戻る構成にしている。
【００４９】
これにより、調理中の情報を端末側で確認できるだけでなく、自動的に解除する機能もあり、操作性の向上につながる。
【産業上の利用可能性】
【００５０】
以上のように、本発明にかかるネットワーク調理システムおよびそれを用いた調理加熱装置は、各種通知内容をホームネットワーク端末上で確認できるため、加熱調理器には、報知手段がなくてもよく、各種の加熱調理器に搭載することが可能になり、操作性の向上を図ることができ、また、各種通知内容を解除する機能もあり、調理を行うすべての調理器等の用途にも適用できる。
【図面の簡単な説明】
【００５１】
【図１】本発明の実施の形態１におけるネットワーク調理システムの詳細ブロック図
【図２】本発明の実施の形態１におけるネットワーク調理システムの概略構成図
【図３】本発明の実施の形態１、２におけるネットワーク調理システムのホームネットワーク端末に表示される画面遷移図
【符号の説明】
【００５２】
１  情報管理装置
２  通信ネットワーク
３  ホームネットワーク端末
４  無線通信
５  加熱調理器
７  ネットワーク通信手段
８  端末側表示手段
９  端末側無線通信手段
１０  機器側無線通信手段
１１  機器側表示手段
１４  途中通知手段
１５  報知手段
１６  途中通知表示手段
１７  調理終了判別手段
１８  調理残時間通知手段
【図１】
2005037067.tif 000003
【図２】
2005037067.tif 000004
【図３】
2005037067.tif 000005